(57)【要約】【課題】従来のウイング付き生理用ナプキンでは、ショーツ幅がウイング間の幅よりも狭いと、生理用ナプキンのウイングを▲１▼ショーツ幅に合わせて吸収体ごと折り返すと表面層から一旦吸収した体液が横漏れによりしみ出す。▲２▼ショーツの幅に合わせて折り返すと、ウイングとショーツとの接着面積が少なくなったりして、ウイングのズレ止め効果が減殺される。また、ショーツ幅がウイング間の幅よりも広い場合には、生理用ナプキンのウイングをショーツの幅に合わせて折り返すしかなく、上記▲２▼の問題が生じる。【解決手段】トップシート７とバックシート３と中間に位置する吸収体５とを有する生理用ナプキン等の吸収性物品。バックシート３側の幅方向左右両側には、下着類に固定するための粘着部１７を有する左右一対の固定用舌片１１が、それらの基端がバックシート３の側縁よりも内方側に位置するように設けられている。【選択図】      図１
2004290556.tif 000002
【特許請求の範囲】
【請求項１】
液体透過性のトップシートと液体不透過性のバックシートと該トップシート及び該バックシート間に位置する液体保持性の吸収体とを有する吸収性物品であって、
上記バックシート側の幅方向両側には、吸収性物品を下着類に固定するための粘着部を有する左右一対の固定用舌片が、それらの基端が該バックシートの側縁よりも内方側に位置するように設けられていることを特徴とする吸収性物品。
【請求項２】
上記の一対の固定用舌片の各基端間距離Ｄが、２０〜１００ｍｍであることを特徴とする請求項１記載の吸収性物品。
【請求項３】
上記各固定用舌片の長さＬが、５〜１００ｍｍであることを特徴とする請求項１又は２記載の吸収性物品。
【請求項４】
上記の一対の固定用舌片の各基端間の距離Ｄと上記固定用舌片の長さＬとの比（Ｄ／２Ｌ）が０．６７〜１．６７であることを特徴とする請求項１〜３の何れかに記載の吸収性物品。
【請求項５】
上記の一対の固定用舌片の先端につまみ部が形成されていることを特徴とする請求項１〜４の何れかに記載の吸収性物品。
【発明の詳細な説明】
【０００１】
【発明の属する技術分野】
本発明は、生理用ナプキン、パンティライナー、失禁パッド、紙おむつ等の吸収性物品に係り、特にいかなる形態の下着類に対しても優れたズレ防止性と漏れ防止性を発揮することができる吸収性物品に関する。
【０００２】
【従来の技術】
生理用ナプキン等の吸収性物品として、固定性を高めてズレや漏れの防止性能を向上させるために、生理用ナプキンの左右両側縁から外方に延出された左右一対のウイングを有するものが種々提案されている。例えば、特表平８−５０４３５６号公報（特許文献１）又は特表平９−５１２４５４号公報（特許文献２）等が挙げられる。
【０００３】
【特許文献１】
特表平８−５０４３５６号公報（請求項１、図１等）
【特許文献２】
特表平９−５１２４５４号公報（請求項１、図１等）
【０００４】
【発明が解決しようとする課題】
しかし、従来提案されているウイング付きの生理用ナプキンにおいては、ウイングの折り返し位置が生理用ナプキンの左右両側縁とほぼ同じ位置となされており、この折り返し位置間の幅がショーツの股間幅と合わないという問題があった。特に、近年ショーツ形態の多様化が進み、股間幅の狭いタイプのものや、いわゆるボクサータイプのもの等様々な形態のものが用いられるようになっており、この問題が顕著なものとなっている。
【０００５】
このため、次のような問題が生じている。
ショーツ幅がウイング間の幅よりも狭い場合に、▲１▼ショーツ幅に合わせて吸収性部物品を折り返すと、吸収体ごと無理やり折り返すことになり、横漏れの原因となる、▲２▼吸収体幅に合わせて吸収体部物品を折り返すと、折り返されたウイングの基端より内方にショーツの側縁が位置することになり、その結果として、ウイングとショーツの接触面積が少なくなり、ウイングのズレ止め効果が減殺される。
また、ショーツ幅がウイング間の幅よりも広い場合には、ショーツ幅に合わせて吸収性部物品を折り返すしかないため、ウイングの折り返し部分（ショーツの表面側に折り返される部分）を十分な長さとすることができず、その結果として、ウイングとショーツとの接着面積が少なくなりウイングのズレ止め効果が減殺される。
本発明は、上記従来の問題点に着目してなされたものであり、いかなるタイプのショーツに対しても良好に固定でき、ズレ防止性に優れ、しかも吸収体からのシミだしによる漏れも生じない生理用ナプキンを提供することにある。
【０００６】
【課題を解決するための手段】
この目的を達成するために、請求項１の発明は、液体透過性のトップシートと液体不透過性のバックシートと該トップシート及び該バックシート間に位置する液体保持性の吸収体とを有する吸収性物品であって、上記バックシート側の幅方向両側には、ナプキンを下着類に固定するための粘着部を有する左右一対の固定用舌片が、それらの基端が該バックシートの側縁よりも内方側に位置するように設けられていることを特徴とする吸収性物品を提供するものである。
請求項１の吸収性物品によれば、ウイングの代わりにバックシート側に固定用舌片を設けているので、吸収性物品の固定時に吸収体ごと折り込む必要がなく、いかなるショーツ類に対しても良好な固定性を有し、しかもシミ出しによる漏れも生じない。
【０００７】
請求項２の発明は、上記の一対の固定用舌片の各基端間距離Ｄが、２０〜１００ｍｍであることを特徴とする請求項１記載の吸収性物品である
上記基端間距離Ｄの更に好ましい範囲は、４０〜６０ｍｍである。
上記基端間距離Ｄを上述の範囲内とすることにより、いかなる形態のショーツに対しても良好に固定でき、優れた漏れ防止性を発揮することができる。
【０００８】
請求項３の吸収性物品は、上記各固定用舌片の長さＬが、５〜１００ｍｍであることを特徴とする請求項１又は２記載の吸収性物品である。
上記長さＬの更に好ましい範囲は、２０〜４０ｍｍである。
上記長さＬを上述の範囲内とすることにより、いかなる形態のショーツに対しても良好に固定でき、優れた漏れ防止性を発揮することができる。
【０００９】
請求項４の吸収性物品は、上記固定用舌片の基端間の距離Ｄと上記固定用舌片の長さＬとの比（Ｄ／２Ｌ）が０．６７〜１．６７であることを特徴とする請求項１〜３の何れかに記載の吸収性物品である。
上記比（Ｄ／２Ｌ）の更に好ましい範囲は、１．００〜１．４０である。
上記比（Ｄ／２Ｌ）を０．６７以上とすることにより、固定用舌片を折り込んでショーツなどの下着に固定した際に固定用舌片同士が接着して交換時に剥がしにくくなることがなく、１．６７以下とすることにより、固定用舌片の粘着部分を十分にとることができ、十分なズレ止め効果を得ることができる。
【００１０】
請求項５の吸収性物品は、上記固定用舌片の先端につまみ部が形成されていることを特徴とする請求項１〜４の何れかに記載の吸収性物品である。
請求項５の吸収性物品によれば、操作性に優れ、吸収性物品の交換時に剥がしやすい。
【００１１】
【発明の実施の形態】
以下、本発明の実施の形態に係る生理用ナプキン１の実施の形態を図１〜図４に従って説明する。
生理用ナプキン１は、図１及び２に示すように、液体透過性のトップシート７と液体不透過性のバックシート３と該トップシート７及び該バックシート３間に位置する液体保持性の吸収体５とを有する。
更に、詳述すると、トップシート７とバックシート３とは吸収体５の周縁を囲むようにホットメルト、ヒートシール等で接着されている。
また、吸収体５は吸収コア５ａと、これを包むクレープ紙５ｂとによって構成されている。
【００１２】
バックシート３の裏面にはショーツに生理用ナプキン１を固定するために通常この種の吸収性物品に用いられる粘着剤が帯状に塗布されて複数の粘着部３ａが設けられている。このバックシート３の材料としては、ポリエチレン、ポリプロピン等の遮水材、遮水材に不織布を積層してなるラミネート不織布、遮水材と不織布との間に防水プラスチックフィルムを介装して積層してなるラミネート不織布等が挙げられる。
【００１３】
トップシート７の材料としては、無孔または有孔の不織布や多孔性プラスチックシート等が挙げられる。また、生理用ナプキンの左右両側におけるトップシート７の表面上には、帯状のサイドシート９が貼付けられている。サイドシートの形成材料は、親水性のシート、吸水性シート、疎水性シートなど種々のものが用いられるが、本実施形態においては、吸水性シートが用いられている。
【００１４】
吸収コア５ａは、吸水性繊維に高吸水性樹脂を分散混入してなるものである。吸水性繊維としては、パルプ、即ち天然セルロース繊維の他、レーヨン、アセテート等の人工セルロース繊維からなるものが好適材として挙げられる。
更に、ポリエチレン、ポリプロピレン等のオレフィン系、ポリエステル系、ポリアミド系等の親水性合成繊維を併用してもよい。
高吸水性樹脂としては、ポリアクリル酸塩架橋物、自己架橋したポリアクリル酸塩、アクリル酸エステル−酢酸ビニル共重合体架橋物のケン化物、イソブチン・無水マレイン酸共重合体架橋物、ポリスルホン酸塩架橋物、ポリエチレンオキシド、ポリアクリルアミドなどの水膨潤性ポリマーを部分架橋したものなどが挙げられる。これらのうち、吸水量、吸水速度に優れるアクリル酸またはアクリル酸塩系のものが好適である。
【００１５】
そして、本実施形態の生理用ナプキン１は、上記バックシート３側の幅方向左右両側には、ナプキンを下着類に固定するための左右一対の固定用舌片１１が、それらの基端１３が該バックシート３の側縁よりも内方側に位置するように設けられている。
【００１６】
固定用舌片１１は、ほぼ長方形状であり、生理用ナプキン１の長手方向ほぼ中央部分に設けられている。また、本実施形態においては、両固定用舌片１１，１１は、一枚のシートの中央部分を生理用ナプキン１のバックシート３に貼り合わせることにより形成されている。基端１３の外方（生理用ナプキン１の側縁側）には帯状の剥離テープが貼り付けられて剥離処理部１３ａが形成されている。基端１３の外方で、固定用舌片１１，１１の内方面１５ａ，１５ａには、粘着剤が塗布されて矩形状の粘着部１７，１７が形成されている。また、粘着部１７，１７は、固定用舌片の先端から間隔を開けて設けられて、つまみ部１９，１９が形成されている。粘着部１７を形成する粘着剤としては、通常この種の生理用ナプキンのズレ止め用に用いられる粘着剤を特に制限なく用いることができる。
【００１７】
上記の一対の固定用舌片１１，１１の各基端１３，１３間距離（貼り合わせられている部分の長さ）Ｄが、５０ｍｍである。
上記固定用舌片１１、１１の長さＬが、３５ｍｍである。また、その幅Ｈは、５〜１５０ｍｍとするのが生理用ナプキンをショーツからずれにくくする点から好ましいが、本実施形態においては５０ｍｍとなされている。
また、生理用ナプキンの側縁９から固定用舌片１１の基端１３間の距離Ｔは、５〜２５ｍｍとするのが、足周りの違和感を起こさないことと外観の点から好ましいが、本実施形態においては１２ｍｍである。
また、固定用舌片１１，１１の基端１３，１３間の距離Ｄと固定用舌片１１の長さＬとの比（Ｄ／２Ｌ）は、０．７１である。
【００１８】
固定用舌片の材料としては、伸縮性素材及び非伸縮性素材のいずれを用いることもできる。
上記非伸縮性素材としては、ポリエチレン、ポリプロピレン等の液不透過性シート；ポリエチレンやポリプロピレンと無機顔料とを溶融混練してなる液透過性シート；これらのシートと不織布とを積層・接着してなるラミネート不織布などが挙げられる。
【００１９】
上記伸縮性素材としては、オレフィン系樹脂にスチレン系樹脂を混ぜて製膜したもの、エチレン・長鎖オレフィン系・コポリマー等が挙げられる。また、上記非伸縮性素材に機械加工を施して伸縮性を付与したもの、例えば、上記液不透過性シートにエンボス加工や波加工を施したもの、上記液不透過性シートを１軸又は２軸方向に延伸したもの、ラミネート不織布を製造する際にフィルムを伸張した状態で熱やホットメルトで接着したもの等が挙げられる。
【００２０】
伸縮性素材を用いる場合には、その伸縮率は、３００ｍｍ／ｍｉｎで、縦方向（ＭＤ方向）に１．０Ｎ、横方向（ＣＤ方向）に０．２Ｎの荷重をかけたときに、それぞれ１３０±２５％となるのが好ましい。この伸縮率の範囲は、一般的なショーツの伸縮率に着目して設定したものであり、この範囲内とすることにより、ショーツへの装着が容易になり、また装着中の動作時に、下着の動きに容易に追随するので、ヨレ・ズレの防止効果が更に向上する。
【００２１】
また、上記伸縮性素材のひずみ応力は、縦（ＭＤ）方向に４％以内、横（ＣＤ）方向に３％以内とするのが好ましい。ひずみ応力をこの範囲とすることにより、ヨレやズレを効果的に防止し、固定用舌片の所望の機能を十分に果たすことができる。
上記ひずみ応力は、引っ張り計測機「テンシロンＲＴＣ−１２１０Ａ」（オリエンテック社製）を使用し、以下の条件を設定して測定される。
スパン（初期長さ）：５０ｍｍ
引っ張り方向：１８０℃
引っ張り速度：３００ｍｍ／ｍｉｎ
荷重：縦方向（ＭＤ方向）；１．０Ｎ
横方向（ＣＤ方向）；０．２Ｎ
【００２２】
また、固定用舌片１１の外方面１５ｂ、１５ｂや両固定用舌片１１の基端１３，１３間は、離形処理されているのが、固定用舌片１１の粘着部１２を誤って付けてしまった場合にも剥がしやすく、装着・脱着時の操作性の点からも好ましい。この際、離形処理は、通常この種の生理用ナプキンにおいて用いられる手法を特に制限なく用いて行うことができる。
上述したバックシート３の粘着部や固定用舌片１１，１１の粘着部１７，１７は、特に図示しないが、それぞれ使用前においては剥離紙等で保護されている。
【００２３】
次に、図３及び４を参照して本実施形態の生理用ナプキン１の使用態様について説明する。
図３に示す使用態様は、生理用ナプキン１を股間幅２３ａの狭いショーツ２１ａに装着した状態を示すものである。図３に示すように、股間幅２３ａの狭いショーツ２１ａに装着した場合でも、吸収体ごと折り返さずに、固定用舌片１３のみをショーツの表側に折り返すことにより、生理用ナプキンの固定・装着が可能である。また、固定用舌片１３の折込線からショーツ２１ａの側縁までの距離がないので、固定用舌片１３とショーツ２１ａとの接着面積を十分に確保することができ、十分なズレ止め効果を発揮できる。
図４に示す使用態様は、生理用ナプキン１を股間幅２３ｂの広いいわゆるボクサータイプのショーツ２１ｂに装着した状態を示すものである。図４に示すように、股間幅２３ｂの広いショーツ２１ｂに装着した場合でも、固定用舌片１３をショーツ２１ｂに貼り合わせても、生理用ナプキン１の側縁が固定用舌片１３に追随して下方向を向くことがなく、固定用舌片１３から独立して使用者側にフィットする。固定用舌片１３は、ショーツの内面側のみに当接してショーツ２１ｂの外側に出てしまうことがないので、固定用舌片１３を折り返す必要がなく、固定用舌片１３とショーツ２１ｂとの接着面積が少なくなり、ズレ止め効果が減殺されることがない。
【００２４】
以上のように、本実施形態の生理用ナプキン１は、いかなる形状のショーツに対しても、ナプキンの理想的な装着形状を維持でき、吸収体の側方から一旦吸収した体液がしみ出して横漏れを起こすことがない。
また、使用するショーツの股間幅に合わせて、固定用舌片の折り返し位置を自由に決めることができる。折り返したときに固定用舌片同士が接着しないので交換時にショーツから剥がしやすく、また、女性用ショーツの股間幅に合った範囲で折り返し位置の調節ができる。
また、つまみ部を設けたことにより、装着時に、固定用舌片の粘着部分が手に着かず、装着しやすい。さらには、離形処理を施した場合、間違えて固定用舌片がくっついてしまっても剥がしやすい。
【００２５】
以上、本発明の実施の形態を説明したが、本発明の具体的構成がこの実施の形態に限定されるものではなく、本発明の要旨から外れない範囲での設計変更等があっても本発明に含まれる。
本発明は生理用ナプキンだけでなく、パンティライナー、失禁パッド、紙おむつ等の吸収性物品に適用することができる。
固定用舌片は、１枚のシートではなく、２枚のシートを用いて形成してもよい。この場合、両基端間はバックシートにより構成される。
つまみ部を形成しないこともでき、また、つまみ部を離形処理により形成することもできる。
【００２６】
【発明の効果】
以上説明したように、本発明の吸収性物品は、いかなるタイプのショーツに対しても良好な固定性を有し、ズレ防止性に優れ、しかも吸収体からのシミだしによる漏れも生じない。
【図面の簡単な説明】
【図１】図１は、本発明の好ましい１実施形態としての生理用ナプキンを示す斜視図である。
【図２】図２は、図１に示す生理用ナプキンのＩＩ−ＩＩ断面図である。
【図３】図３は、図１に示す生理用ナプキンの使用態様として、股間幅の狭いショーツに装着した例の前身頃側を省略して後ろ身頃側のみを示す斜視図である。
【図４】図４は、図１に示す生理用ナプキンの使用態様として、股間幅の広いショーツに装着した例の前身頃側を省略して後ろ身頃側のみを示す斜視図である。
【符号の説明】
１    生理用ナプキン
３    バックシート
５    吸収体
５ａ  吸収コア
５ｂ  クレープ紙
７    トップシート
１１    固定用舌片
１３    基端
１５ａ  内方面
１５ｂ  外方面
１７    粘着部
１９    つまみ部
２１ａ、２１ｂ    ショーツ
【図１】
2004290556.tif 000003
【図２】
2004290556.tif 000004
【図３】
2004290556.tif 000005
【図４】
2004290556.tif 000006